(57)【要約】      （修正有）【課題】本考案はピアスピンをピアスキャッチに容易に着脱出来、ピアスの装着中には快適な装着感が得られ、ピアス装着中にピアスピンが抜けそうになった時には自動的にピアスピンを完全に固定しピアスの脱落紛失を防止する、ピアス用キャッチを提供する。【解決手段】ピアスピンを着脱する時にキャッチ側面部分を摘むことにより、ピアスキャッチのロック部分の径がピアスピンの径より大きくなりピアスピンが通過できるようになり、ピアス装着中にピアスピンが自然に抜けそうになったときには、ピアスピンにあるくびれ部がピアスキャッチのロック部分を通過する時に、ロック部分の径がピアスピンのくびれ部分と同等の狭く強固な固定幅になりピアスピンを固定する事を手段とする簡単な一体構造のピアスキャッチ。【選択図】図７
0003233999.tif 000002
【実用新案登録請求の範囲】
【請求項１】
ピアスピン挿入孔を形成した受け板部と、この受け板部と一体の受け板部の裏側に向かって約９０°の角度で起立した左右一対の板バネがあり互いに隣り合う方向に弾力性を保持する。左右一対の板バネは途中からそれぞれ約９０°の角度でピン挿入孔軸線方向に曲げられており、それぞれ一方が上にもう一方が下になり交差し、それぞれの反対側の板バネが受け板部から起立し途中の９０°の角度で曲がるところの手前で終了している。左右の板バネはその上下に交差している部分の挿入孔軸線手前にピンが通る孔が設けてあり、さらにその孔につながってそれぞれの板バネ先端部に向かって孔の直径より狭いがピアスピンのくびれ部より広い幅のテーパー状の切れ込みが入れてある。
装飾体に設けたピアスピンを上記受け板部の表側からピン挿入孔に挿入すると、ピンは挿入孔軸線に沿って上昇し板バネに当たり静止する。次に左右の板バネの受け板部から起立している部分をピン挿入孔軸方向に挟持すると左右の板バネに設けられた前述挿入軸線手前にある孔が挿入孔軸線上に移動する。その時ピンの挿入を続けると先端部とその先端部近くのくびれ部が板バネの前述の孔を貫通し、ピンが装飾体側の根元まで挿入され静止する。さらに上記板バネの挟持を解放すると、左右の板バネはそれぞれのバネ効果により元の位置に戻ろうとし反ピン挿入孔軸方向に動き、板バネにある前途の孔がピンを左右から挟持しピンは半固定状態になる。そのままピンを受け板方向に動かすと、ピンのくびれ部が板バネにある前途の孔を通過する時に板バネの挟持はさらに解放され、前途の孔の先端部にあるテーパー状の切れ込み部分が挿入孔軸線上に移動ピンのくびれ部を挟持するようになりピンは完全に固定される。
次に再び板バネを上記ピン挿入孔軸方向に挟持すると、左右の板バネに設けられた前述の孔が再び挿入孔軸線に移動しそのままピンを受け板方向に動かすと、ピン先端部近くのくびれ部とピン先端部が前途の孔とピン挿入孔を通過しピンを完全に解放する構造を形成したことを特徴とするピアス用キャッチ。
【考案の詳細な説明】
【技術分野】
【０００１】  この考案は装飾体に設けたピンを保持するためのキャッチに関する。
【背景技術】
【０００２】  図９，図１０を用いて従来例のピアス用キャッチについて説明する。
図９に示すように、ピアス装飾部１５とピン１６を持つ装飾体Ａと、後述のキャッチＢからなる。
このピアスはピン１６を耳にあけたピアス孔に挿入貫通させ、耳裏側でピン１６をキャッチＢで保持する。【０００３】  ピアスキャッチ部Ｂは金属からなり、受け板部１７と側部に一体に成形された１対の板バネ部１８からなる。
一対の板バネ部１８は板部裏側方向に起立しそれぞれ板部中心に向けカールさせる曲げ加工をしている。
このためこのカールした１対の板バネ部１８は互いに隣り合う方向に弾力性を保持する。
上記受板部中央にピンの挿入孔１９がありその軸線はカールした一対の板バネ部１８間に位置する事になる。【０００４】  ピン１６を耳のピアス孔に挿入し耳裏側にまで貫通し、さらにピン１６をキャッチＢ受け板部１７表側からピンの挿入孔１９に挿入しそのまますすめると、ピン１６は板バネ部１８の弾性に抗してバネ部１８を押し広げ制止する。この時ピン１６は板バネ部１８により挟持される。
【考案の概要】
【考案が解決しようとする課題】
【０００５】  図９にあるように従来例のピアスキャッチは、挿入されたピアスピンがピアスキャッチの板バネ部にゆるく挟持されるだけで容易に抜け落ちる。
本件課題は挿入されたピアスピンがピアスキャッチに完全に固定され抜け落ちないようにすること。【０００６】本件課題［０００５］で固定されたピアスピンが容易に固定解除され抜けるようにする事。
【課題を解決するための手段】
【０００７】ピアスピンを着脱する時にキャッチ側面部分を摘むことにより、ピアスキャッチのロック部分の径がピアスピンの径より大きくなりピアスピンが通過できるようになり、ピアス装着中にピアスピンが自然に抜けそうになったときには、ピアスピンにあるくびれ部がピアスキャッチのロック部分を通過する時に、ロック部分の径がピアスピンのくびれ部分と同等の狭く強固な固定幅になりピアスピンを固定する事を手段とする簡単な一体構造のピアスキャッチ。
詳細な手段は以下のとうりである。ピン挿入孔１０を形成した受け板部１と、この受け板部１と一体の受け板部１の裏側に向かって約９０°で起立した左右一対の板バネ２がある。左右一対の板バネ２は途中からそれぞれ約９０°の角度でピン挿入孔軸線９の方向に曲げられており、それぞれ一方が上にもう一方が下になり交差し、それぞれの反対側の板バネ２の受け板部２から起立し途中で９０°の角度で曲がるところの手前で終了している。左右の板バネ２はその上下に交差している部分の挿入孔軸線９手前にピン６が通る孔３が設けてあり、さらにその孔３につながってそれぞれの板バネ先端部に向かう、ピン６のくびれ部と同等の幅のテーパー状の切れ込み４が入れてある。左右の板バネ２は互いに隣り合う方向に弾力性を保持し、挿入孔軸線９上には初期状態ではテーパー状の切れ込み４が、板バネの８を挟持したときは孔３が出現する構造をしている。
【考案の効果】
【０００８】装飾体５に設けたピン６を上記受け板部１の表側からピン挿入孔１０に挿入すると、ピン６は挿入孔軸線９に沿って上昇し板バネ２の挿入孔軸線９上にあるテーパー状の切れ込み４に当たるとピン６の径はテーパー状の切れ込みの幅より大きいので静止する。左右の板バネ２が受け板部１から起立している部分８をピン挿入孔軸９方向に挟持すると、テーパー状の切れ込み４が移動し左右の板バネ２に設けられた前述の孔３が挿入孔軸線９上に出現する。その時ピン６の挿入を続けると先端部とその先端部近くのピン６のくびれ部７が板バネの孔３を貫通し、ピン６は装飾体５側の根元まで挿入され静止する。次に部分８の挟持を解放すると左右の板バネ２はそれぞれのバネ効果により元の位置に戻ろうとし反ピン挿入孔軸９方向に動き板バネ２にある上記孔３がピン６を左右から挟持しピン６は半固定状態になる。そのままピン６を受け板方向に動かすとピン６のくびれ部７が板バネ２にある孔３を通過する時に板バネ２がさらに反ピン挿入孔軸９方向に動き上記孔３が移動し孔３の先端部にあるテーパー状の切れ込み部分４が挿入孔軸９上に出現しピン６のくびれ部７を挟持するようになりピン６は完全に固定されることでピアスの脱落防止効果が発揮される。
再び部分８を上記ピン挿入孔軸９方向に挟持すると左右の板バネ２に設けられた前述の孔３が挿入孔軸線９に移動出現しそのままピン６を受け板部１方向に動かすとピン６先端部近くのくびれ部７とピン先端部が孔を通過しピン６は完全に解放される。
【図面の簡単な説明】
【０００９】
【図１】本考案のピアスキャッチの底面図
【図２】本考案のピアスキャッチの正面図
【図３】本考案のピアスキャッチの上面図
【図４】本考案のピアスキャッチの左側面図
【図５】本考案のピアスキャッチの右側面図
【図６】ピアスピン側面図
【図７】本考案のピアスキャッチの見取図
【図８】本考案のピアスキャッチの展開図
【図９】従来例のピアス側面図
【図１０】従来例のピアス見取図
【考案を実施するための形態】
【００１０】  展開図８にあるようにこのピアスキャッチは一つの一体のみの部品で作ることができる。１枚の金属板をプレスで打ち抜き、曲げ加工することで形成する。プラスチックでの射出形成も可能である。
受け板部１の中央にピン６を通過させる孔１０を開ける。受け板部１に左右一対のバネ部２を配置し、バネ部２の先端近傍部分にはピアスピン６を通過させる孔３とバネ部２の先端に向かって孔３に接続したピン６のくびれ部７と同等幅のテーパー状の切れ込み部分４を設ける。バネ部２を点線１１で受け板部１の裏側に向かって約９０°で起立させ、さらに途中点線１２から左右のバネ部２の一方が上にもう一方が下に交差するように約９０°の角度でピン挿入孔軸線９の方向に以下の事項を成就するように曲げる。まずこのピアスキャッチの初期状態時に於いては、左右バネ部２にあるテーパー状の切れ込み部分４の位置がピン挿入孔軸線９上にあり、次に挿入孔軸９方向に板バネ２を板バネ８のところで挟持した状態では挿入孔軸線９上に左右バネ部２にある孔３が出現し同時に交差した受け板部１側のバネ部２の先端が反対側のバネ部２に当たるように曲げる。特に点線１２からバネ部２の先端部分は正面図２にあるように曲面を有しており板バネ８のところで挟持あるいは解放操作を行う場合常に左右の板バネの交差部分が密着した状態となるように曲げる。
【実施例】
【００１１】  ピアスを装着する。  ピアス本体５のピアスピン６を耳たぶに開けた穴を通し、次に本件考案のピアスキャッチにその受け板部１の表側からピン挿入孔１０に挿入するとピアスピン６は抻入孔軸線９に沿って上昇し板バネ２のテーパー状の切れ込み部分４に当たり静止する。次に左右の板バネ２が受け板部１から起立している部分８をピン挿入孔軸９方向に挟持すると左右の板バネ２に設けられた部分４が移動し孔３が挿入孔軸線９上に出現する。その時ピン６の挿入を続けると先端部とその先端部近くのピン６のくびれ部７が板バネの孔３を貫通し、ピン６は装飾体５側の根元まで挿入され静止する。つぎに部分８の挟持を解放することにより左右の板バネ２がそれぞれのバネ効果により元の位置に戻ろうとし反ピン挿入孔軸９方向に動き板バネ２にある上記孔３がピン６を左右から挟持しピン６は半固定状態になり、ピアスが快適に装着完了になる。
ピアスの脱落防止効果。  ピン６を受け板方向に動かすとピン６のくびれ部７が板バネ２にある孔３を通過する時に板バネ２がさらにバネ効果により反ピン挿入孔軸９方向に動き孔３が移動し上記孔３の先端部にあるテーパー状の切れ込み部分４が挿入孔軸９上に出現しピン６のくびれ部７を挟持するようになりピン６は完全に固定されることでピアスの脱落防止効果が発揮される。
ピアスの取り外し。  再び部分８を挿入孔軸９方向に挟持すると部分４が移動し左右の板バネ２に設けられた前述の孔３が挿入孔軸線９に出現しそのままピン６を受け板部１方向に動かすとピン６先端部近くのくびれ部７とピン先端部が孔３とピン挿入孔１０を通過しピン６を完全に解放ピアスの取り外しが完了する。
【符号の説明】
【００１１】１    受け板部
２    板バネ
３    孔
４    テーパー状の切れ込み
５    装飾体
６    ピン
７    くびれ部
８    起立している部分
９    ピン挿入孔軸
１０  ピン挿入孔
１１  点線
１２  途中点線
１５  ピアス装飾部
１６  ピン
１７  受け板部
１８  板バネ部
１９  挿入孔
【図１】
0003233999.tif 000003
【図２】
0003233999.tif 000004
【図３】
0003233999.tif 000005
【図４】
0003233999.tif 000006
【図５】
0003233999.tif 000007
【図６】
0003233999.tif 000008
【図７】
0003233999.tif 000009
【図８】
0003233999.tif 000010
【図９】
0003233999.tif 000011
【図１０】
0003233999.tif 000012
【手続補正書】
【提出日】令和3年6月10日(2021.6.10)
【手続補正１】
【補正対象書類名】実用新案登録請求の範囲
【補正対象項目名】全文
【補正方法】変更
【補正の内容】
【実用新案登録請求の範囲】
【請求項１】
ピアス用キャッチ金具において、
ピアスピンの挿入孔を形成した受け板部と、前記受け板部と一体の受け板部の裏側に向かって９０°の角度で起立した左右一対の板バネがあり互いに隣り合う方向に弾力性を保持し、前記左右一対の板バネは途中からそれぞれ９０°の角度で前記ピアスピンの挿入孔軸線方向に曲げられており、前記板バネの一方が上に他方が下になり交差し、それぞれの反対側の板バネが受け板部から起立し途中９０°の角度で曲がるところの手前で終了し、前記左右一対の板バネはその上下に交差している部分の前記挿入孔軸線手前に前記ピアスピンが通る孔が設けてあり、前記孔につながってそれぞれの板バネ先端部に向かって孔の直径より狭いが前記ピアスピンの先端部近くにあるくびれ部より広い幅のテーパー状の切れ込みが入れてあり、
装飾体に設けた前記ピアスピンを前記受け板部の表側から前記ピアスピン挿入孔に挿入すると、ピアスピンは前記挿入孔軸線に沿って上昇し前記板バネに当たり静止し、次に前記左右一対の板バネの受け板部から起立している部分を前記挿入孔軸線方向に挟持すると前記左右一対の板バネに設けられた挿入孔軸線手前にある前記孔が挿入孔軸線上に移動し、そのまま前記ピアスピンの挿入を続けるとピアスピンの先端部と先端部近くのくびれ部分が前記板バネの前記孔を貫通し、前記ピアスピンが前記装飾体側の根元まで挿入され静止し、前記板バネの挟持を解放すると前記左右の板バネはそれぞれのバネ効果により元の位置に戻ろうとし、反ピアスピン挿入孔軸方向に動き前記板バネにある前記孔が前記ピアスピンを左右から挟持しピアスピンは半固定状態になり、そのまま前記ピアスピンを前記受け板方向に動かすとピアスピンのくびれ部が前記板バネにある前記孔を通過する時に前記板バネの挟持はさらに解放され、前記孔の先端部にあるテーパー状の切れ込み部分が前記挿入孔軸線上に移動し前記ピアスピンのくびれ部を挟持するようになりピアスピンは完全に固定され、再び前記板バネを前記ピン挿入孔軸線方向に挟持すると前記左右の板バネに設けられた前記孔が再び挿入孔軸線に移動しそのまま前記ピアスピンを受け板方向に動かすと、前記ピアスピン先端部近くのくびれ部分とピアスピン先端部が前記孔と前記ピン挿入孔を通過しピアスピンを完全に解放する構造を形成したことを特徴とするピアス用キャッチ。